(57)【特許請求の範囲】
【請求項１】
第一刀身と第二刀身とを開閉中心部で回動可能に支持し、この開閉中心部よりも先端側で第一刀身と第二刀身とに刃部を設け、この開閉中心部よりも基端側に設けた第一柄部及び第二柄部で刃部から延びる第一刀身及び第二刀身の連結部は、内周部を有する樹脂製の指掛環内に埋設されてその指掛環に沿って環状方向へ延びる埋設連結環と、この埋設連結環と開閉中心部との間で延設された支持腕部とからなる鋏において、
前記第一柄部と第二柄部とのうち少なくとも第一柄部で指掛環の内周部及び外周部は、一体成形されて、それぞれ、第一刀身と第二刀身との間の開閉動方向を含む面に対し直交する厚み方向の両側で前記埋設連結環を挟むように設けられ、
前記第一柄部で指掛環の内周部の全体は前記連結部の埋設連結環を被覆し、
前記第一柄部で指掛環の外周部は、前記第一刀身の連結部の支持腕部が入り込む外周支持口部と、第一刀身と第二刀身との閉状態で第一柄部及び第二柄部の指掛環が互いに面する範囲でこの外周支持口部から延びる内側外周部と、この内側外周部から前記外周支持口部まで延びる外側外周部とに区分され、
さらに、第一柄部の指掛環の外側外周部は、前記第一刀身の連結部にあって第一柄部の指掛環に埋設された埋設連結環が露出する外側中間外周部と、この外側中間外周部から前記外周支持口部及び内側外周部まで延びて外側中間外周部を挟む両方の外側片外周部とに区分され、
前記両方の外側片外周部のうち外側中間外周部と外周支持口部との間の外側片外周部で第一柄部の指掛環には、第一刀身の連結部の埋設連結環を覆う外側被覆部を前記外周支持口部と連続して設け、
前記内側外周部で第一柄部の指掛環には、第二柄部の指掛環が第一刀身と第二刀身との閉状態で当接する内側被覆部を第一刀身の埋設連結環を覆うように前記外周支持口部と連続して設け、
前記両方の外側片外周部のうち外側中間外周部とこの内側外周部の内側被覆部との間の外側片外周部で、前記外側中間外周部から露出する埋設連結環と連続する埋設連結環が露出し、
前記第一柄部の指掛環の外側外周部及び内側外周部では、前記外周支持口部と連続する外側被覆部及び内側被覆部以外の全体で第一刀身の埋設連結環が露出し、
前記第一柄部の指掛環で外側外周部から露出する第一刀身の埋設連結環は、その外側外周部から突出して外側外周部との間で段差部を形成する露出端縁部を有し、
前記第一柄部の指掛環で外周方向の両側に位置する外側被覆部の両端部のうち、第一柄部の指掛環の外側中間外周部で露出する前記第一刀身の埋設連結環の露出端縁部に対し隣接する外側被覆部の一端部は、この露出端縁部から突出して露出端縁部との間で段差部を形成し、
前記第一柄部の指掛環で外側被覆部は指当部としての形態を有し、この指当部としての外側被覆部は、第一柄部の指掛環で外周方向の両側に位置する外側被覆部の両端部を結ぶ第一想定平面に対し凹む凹状指当面を有し、
前記指当部としての外側被覆部の両端部を結ぶ第一想定平面に対する前記凹状指当面の深さが、外側被覆部の両端部間の中間部で最も大きく設定され、この中間部から外側被覆部の両端部に至るほど小さく設定されるように、凹状指当面が曲線状に湾曲されている
ことを特徴とする鋏における把持柄。
【請求項２】
第一刀身と第二刀身とを開閉中心部で回動可能に支持し、この開閉中心部よりも先端側で第一刀身と第二刀身とに刃部を設け、この開閉中心部よりも基端側に設けた第一柄部及び第二柄部で刃部から延びる第一刀身及び第二刀身の連結部は、内周部を有する樹脂製の指掛環内に埋設されてその指掛環に沿って環状方向へ延びる埋設連結環と、この埋設連結環と開閉中心部との間で延設された支持腕部とからなる鋏において、
前記第一柄部と第二柄部とのうち少なくとも第一柄部で指掛環の内周部及び外周部は、一体成形されて、それぞれ、第一刀身と第二刀身との間の開閉動方向を含む面に対し直交する厚み方向の両側で前記埋設連結環を挟むように設けられ、
前記第一柄部で指掛環の内周部の全体は前記連結部の埋設連結環を被覆し、
前記第一柄部で指掛環の外周部は、前記第一刀身の連結部の支持腕部が入り込む外周支持口部と、第一刀身と第二刀身との閉状態で第一柄部及び第二柄部の指掛環が互いに面する範囲でこの外周支持口部から延びる内側外周部と、この内側外周部から前記外周支持口部まで延びる外側外周部とに区分され、
さらに、第一柄部の指掛環の外側外周部は、前記第一刀身の連結部にあって第一柄部の指掛環に埋設された埋設連結環が露出する外側中間外周部と、この外側中間外周部から前記外周支持口部及び内側外周部まで延びて外側中間外周部を挟む両方の外側片外周部とに区分され、
前記両方の外側片外周部のうち外側中間外周部と外周支持口部との間の外側片外周部で第一柄部の指掛環には、第一刀身の連結部の埋設連結環を覆う第一の外側被覆部を前記外周支持口部と連続して設け、
前記内側外周部で第一柄部の指掛環には、第二柄部の指掛環が第一刀身と第二刀身との閉状態で当接する内側被覆部を第一刀身の埋設連結環を覆うように前記外周支持口部と連続して設け、
前記両方の外側片外周部のうち外側中間外周部と内側外周部の内側被覆部との間の外側片外周部で第一柄部の指掛環には、外側中間外周部と外周支持口部との間の外側片外周部に設けた前記第一の外側被覆部以外に、第一刀身の連結部の埋設連結環を覆う第二の外側被覆部を設け、
前記第一柄部の指掛環の外側外周部及び内側外周部では、前記外周支持口部と連続する第一の外側被覆部及び内側被覆部と第二の外側被覆部以外の全体で第一刀身の埋設連結環が露出し、
前記第一柄部の指掛環で外側外周部から露出する第一刀身の埋設連結環は、その外側外周部から突出して外側外周部との間で段差部を形成する露出端縁部を有し、
前記第一柄部の指掛環で外周方向の両側に位置する第一及び第二の外側被覆部の両端部のうち、第一柄部の指掛環の外側中間外周部で露出する前記第一刀身の埋設連結環の露出端縁部に対し隣接する第一及び第二の外側被覆部の一端部は、この露出端縁部から突出して露出端縁部との間で段差部を形成し、
前記第一柄部の指掛環で第一及び第二の外側被覆部は指当部としての形態を有し、この指当部としての第一及び第二の外側被覆部は、第一柄部の指掛環で外周方向の両側に位置する第一及び第二の外側被覆部の両端部を結ぶ第一想定平面に対し凹む凹状指当面を有し、
前記指当部としての第一及び第二の外側被覆部の両端部を結ぶ第一想定平面に対する前記凹状指当面の深さが、第一及び第二の外側被覆部の両端部間の中間部で最も大きく設定され、この中間部から第一及び第二の外側被覆部の両端部に至るほど小さく設定されるように、凹状指当面が曲線状に湾曲されている
ことを特徴とする鋏における把持柄。
【請求項３】
第二柄部の指掛環の外周部は、第二刀身の連結部の支持腕部が入り込む外周支持口部と、第一刀身と第二刀身との閉状態で第一柄部及び第二柄部の指掛環が互いに面する範囲でこの外周支持口部から延びる内側外周部と、この内側外周部から前記外周支持口部まで延びる外側外周部とに区分され、
さらに、前記内側外周部で第二柄部の指掛環には第二刀身の連結部にあって第二柄部の指掛環に埋設された埋設連結環を覆う内側被覆部を設け、
第二柄部の指掛環の外側外周部及び内側外周部では、前記内側被覆部以外の全体で第二刀身の連結部の埋設連結環が露出している
ことを特徴とする請求項１または請求項２に記載の鋏における把持柄。
【請求項４】
前記埋設連結環は前記第二柄部の指掛環で外周方向に沿って延びるように設けられ、第二柄部の指掛環の内周部及び外周部は、それぞれ、第一刀身と第二刀身との間の開閉動方向を含む面に対し直交する厚み方向の両側でこの埋設連結環を挟むように設けられていることを特徴とする請求項３に記載の鋏における把持柄。
【請求項５】
前記指当部としての外側被覆部により覆われた第一刀身の埋設連結環は、凹状指当面に対し距離をあけて凹状指当面に沿うように凹む凹状端縁部を有していることを特徴とする請求項１から請求項４のうちいずれか一つの請求項に記載の鋏における把持柄。
【請求項６】
前記第一刀身と第二刀身との閉状態で、第一柄部の指掛環の外側外周部に設けた前記外側中間外周部と、第二柄部の指掛環が連結部の埋設連結環で取着された第二刀身の刃部の刃縁に対し反対側になる第二刀身の刃部の背縁とを結ぶ第二想定平面に対し凹む指掛凹部に、前記第一柄部の指掛環で前記外周支持口部と連続する指当部としての外側被覆部が面していることを特徴とする請求項１から請求項５のうちいずれか一つの請求項に鋏における把持柄。
【請求項７】
前記第一柄部の指掛環における指当部としての外側被覆部の両端部を結ぶ第一想定平面に対し直交する方向で前記第二想定平面に対する前記凹状指当面の深さは、５ｍｍ以上に設定されていることを特徴とする請求項６に記載の鋏における把持柄。
【請求項８】
前記第一柄部の指掛環の外周支持口部と前記開閉中心部との間の第一刀身の連結部の支持腕部にあって、前記第一柄部の指掛環の内側外周部に隣接する内側端縁部には、前記第一柄部の指掛環の外側外周部に隣接する外側端縁部との間の幅寸法を狭めるくびれ凹部を設け、このくびれ凹部に隣接する第一刀身の支持腕部と第二刀身の支持腕部との間の触点部で接触面積を小さくしていることを特徴とする請求項１から請求項７のうちいずれか一つの請求項に鋏における把持柄。
【請求項９】
前記第一刀身の連結部の支持腕部で内側端縁部の延設方向の両側に位置するくびれ凹部の両端部を結ぶ第三想定平面に対するくびれ凹部の深さが、くびれ凹部の両端部間の中間部で最も大きく設定され、この中間部からくびれ凹部の両端部に至るほど小さく設定されるように、くびれ凹部が曲線状に湾曲されていることを特徴とする請求項８に記載の鋏における把持柄。
【発明の詳細な説明】
【技術分野】
【０００１】
本発明は各種鋏において両柄部で両刀身の連結部に指掛環を取着した把持柄に関するものである。
【背景技術】
【０００２】
下記の特許文献１及び特許文献２においては、いずれも、両刀身が開閉中心部で回動可能に支持され、この開閉中心部よりも先端側で両刀身に刃部が設けられ、この開閉中心部よりも基端側に設けられた両柄部で刃部から延びる両刀身の連結部に指掛環が取着されている。特許文献１では、両柄部の指掛環の外周全体のうち、内側外周部で両刀身の連結部の環状部が突出しているとともに、外側外周部で両刀身の連結部の環状部が被覆されている。特許文献２では、両柄部の指掛環の外周全体で両刀身の連結部の環状部が突出している。一般に、両刀身の連結部は金属からなり、両柄部の指掛環は合成樹脂からなる。
【特許文献１】実開昭６３−２５９６１号公報
【特許文献２】意匠登録第５７８４４８号公報
【発明の開示】
【発明が解決しようとする課題】
【０００３】
上記の特許文献１では、親指以外の四指（人差し指と中指と薬指と小指）を挿入した一方の指掛環を下方に向け、その指掛環の外側外周部を支えとして滑らせながら両刀身を開閉動させると、その外側外周部が摩耗して傷付くおそれがあった。
【０００４】
上記の特許文献２では、例えば、人差し指以外の三指（中指と薬指と小指）または小指以外の三指（人差し指と中指と薬指）を指掛環に挿入し、人差し指または小指を指掛環から出して両刀身の連結部の環状部に当てがうと、人差し指または小指の感触が悪くなって操作性が悪くなる。
【０００５】
また、一般に、鋏では、両刀身の刃部間に圧接力を働かせて切れ味を良くするために、両刀身の連結部間を互いに押し広げる触点部が設けられている。しかし、その触点部により、両刀身を開閉動させる際の抵抗が大きくなり過ぎて操作性が悪くなるおそれがあった。
【０００６】
この発明は、鋏において、指掛環の改良により、指掛環の摩耗による損傷を防止するとともに、指掛環内から出した指の感触を良くして操作性を向上させることを目的としている。
【課題を解決するための手段】
【０００７】
後記実施形態の図面（図１〜４）の符号を援用して本発明を説明する。
＊  請求項１の発明
請求項１の発明にかかる鋏及びその把持柄は下記のように構成されている。
【０００８】
この鋏においては、第一刀身（１）と第二刀身（２）とを開閉中心部（３）で回動可能に支持し、この開閉中心部（３）よりも先端側で第一刀身（１）と第二刀身（２）とに刃部（４，５）を設け、この開閉中心部（３）よりも基端側に設けた第一柄部（６）及び第二柄部（７）で刃部（４，５）から延びる第一刀身（１）及び第二刀身（２）の連結部（８，９）は、内周部（２３，１４）を有する樹脂製の指掛環（１０，１１）内に埋設されてその指掛環（１０，１１）に沿って環状方向へ延びる埋設連結環（２１，１２）と、この埋設連結環（２１，１２）と開閉中心部（３）との間で延設された支持腕部（２２，１３）とからなる。
前記第一柄部（６）と第二柄部（７）とのうち少なくとも第一柄部（６）で指掛環（１０）の内周部（２３）及び外周部（２４）は、一体成形されて、それぞれ、第一刀身（１）と第二刀身（２）との間の開閉動方向（Ｘ）を含む面に対し直交する厚み方向（Ｙ）の両側で前記埋設連結環（２１）を挟むように設けられている。
前記第一柄部（６）で指掛環（１０）の内周部（２３）の全体は前記連結部（８）の埋設連結環（２１）を被覆している。
前記第一柄部（６）で指掛環（１０）の外周部（２４）は、前記第一刀身（１）の連結部（８）の支持腕部（２２）が入り込む外周支持口部（２５）と、第一刀身（１）と第二刀身（２）との閉状態で第一柄部（６）及び第二柄部（７）の指掛環（１０，１１）が互いに面する範囲でこの外周支持口部（２５）から延びる内側外周部（２６）と、この内側外周部（２６）から前記外周支持口部（２５）まで延びる外側外周部（２７）とに区分される。
さらに、第一柄部（６）の指掛環（１０）の外側外周部（２７）は、前記第一刀身（１）の連結部（８）にあって第一柄部（６）の指掛環（１０）に埋設された埋設連結環（２１）が露出する外側中間外周部（２９）と、この外側中間外周部（２９）から前記外周支持口部（２５）及び内側外周部（２６）まで延びて外側中間外周部（２９）を挟む両方の外側片外周部（３０，３１）とに区分される。
この両方の外側片外周部（３０，３１）のうち外側中間外周部（２９）と外周支持口部（２５）との間の外側片外周部（３０）で第一柄部（６）の指掛環（１０）には、第一刀身（１）の連結部（８）の埋設連結環（２１）を覆う外側被覆部（３２）を前記外周支持口部（２５）と連続して設けている。
【０００９】
請求項１の発明では、鋏を使用する場合、例えば、第一柄部（６）及び第二柄部（７）において指掛環（１０，１１）内に指を挿入し、必要に応じて指を指掛環（１０）内から出して指掛環（１０）の外側片外周部（３０）の外側被覆部（３２）に当てがい、指掛環（１０）の外側中間外周部（２９）で露出する刀身（１）の埋設連結環（２１）を支えとして滑らせながら両刀身（１，２）を開閉動作する。そのため、指掛環（１０）を支えとして滑らせながら両刀身（１，２）を開閉動作させる必要がなくなり、指掛環（１０）の摩耗による損傷を防止することができる。また、指掛環（１０）内から出した指を指掛環（１０）の外側被覆部（３２）に当てがって両刀身（１，２）を開閉動作させる際、指が刀身（１）の埋設連結環（２１）に触れにくくなるため、指掛環（１０）内から出した指の感触を良くして操作性を向上させることができる。
【００１０】
さらに、請求項１の発明において、前記内側外周部（２６）で第一柄部（６）の指掛環（１０）には、第二柄部（７）の指掛環（１１）が第一刀身（１）と第二刀身（２）との閉状態で当接する内側被覆部（２８）を第一刀身（１）の埋設連結環（２１）を覆うように前記外周支持口部（２５）と連続して設けている。また、前記両方の外側片外周部（３０，３１）のうち外側中間外周部（２９）とこの内側外周部（２６）の内側被覆部（２８）との間の外側片外周部（３１）で、前記外側中間外周部（２９）から露出する埋設連結環（２１）と連続する埋設連結環（２１）が露出している。従って、第一刀身（１）と第二刀身（２）との閉状態で第一柄部（６）の指掛環（１０）と第二柄部（７）の指掛環（１１）とが互いに当接するので、第一刀身（１）の連結部（８）の埋設連結環（２１）と第二刀身（２）の連結部（９）の埋設連結環（１２）とが互いに当接した際に生じ易い不快な音をなくすことができる。
【００１１】
さらに、請求項１の発明において、前記第一柄部（６）の指掛環（１０）の外側外周部（２７）及び内側外周部（２６）では、前記外周支持口部（２５）と連続する外側被覆部（３２）及び内側被覆部（２８）以外の全体で第一刀身（１）の埋設連結環（２１）が露出している。従って、第一柄部（６）の指掛環（１０）で必要な外側被覆部（３２）及び内側被覆部（２８）以外は埋設連結環（２１）が露出しているので、指掛環（１０）の外側外周部（２７）が物に接触しにくくなり、指掛環（１０）の摩耗による損傷を防止することができる。
【００１６】
さらに、請求項１の発明において、前記第一柄部（６）の指掛環（１０）で外側外周部（２７）から露出する第一刀身（１）の埋設連結環（２１）は、その外側外周部（２７）から突出して外側外周部（２７）との間で段差部（３３）を形成する露出端縁部（２１ａ）を有している。従って、指掛環（１０）の外側外周部（２７）が物に接触する前にこの埋設連結環（２１）の露出端縁部（２１ａ）が物に接触し易くなるため、指掛環（１０）の摩耗による損傷を防止することができる。
【００１７】
さらに、請求項１の発明において、前記第一柄部（６）の指掛環（１０）で外周方向の両側に位置する外側被覆部（３２）の両端部（３２ａ，３２ｂ）のうち、第一柄部（６）の指掛環（１０）の外側中間外周部（２９）で露出する前記第一刀身（１）の埋設連結環（２１）の露出端縁部（２１ａ）に対し隣接する外側被覆部（３２）の一端部（３２ａ）は、この露出端縁部（２１ａ）から突出して露出端縁部（２１ａ）との間で段差部（３４）を形成している。従って、指掛環（１０）内から出した指を指掛環（１０）の外側被覆部（３２）に当てがって両刀身（１，２）を開閉動作させる際、指が第一刀身（１）の埋設連結環（２１）に接触しにくくなって指掛環（１０）の外側被覆部（３２）に対し確実に当てがわれ易くなり、指掛環（１０）内から出した指の感触を良くすることができる。
【００１８】
さらに、請求項１の発明において、前記第一柄部（６）の指掛環（１０）で外側被覆部（３２）は指当部としての形態を有し、この指当部としての外側被覆部（３２）は、第一柄部（６）の指掛環（１０）で外周方向の両側に位置する外側被覆部（３２）の両端部（３２ａ，３２ｂ）を結ぶ第一想定平面（Ｐ）に対し凹む凹状指当面（３５）を有している。例えば、この凹状指当面（３５）は指掛環（１０）における厚み方向（Ｙ）の両側へ連続して形成されている。従って、指掛環（１０）内から出した指を指当部としての外側被覆部（３２）に当てがい易くなる。
【００１９】
さらに、請求項１の発明において、前記指当部としての外側被覆部（３２）の両端部（３２ａ，３２ｂ）を結ぶ第一想定平面（Ｐ）に対する前記凹状指当面（３５）の深さ（Ｈ３５）が、外側被覆部（３２）の両端部（３２ａ，３２ｂ）間の中間部（３２ｃ）で最も大きく設定され、この中間部（３２ｃ）から外側被覆部（３２）の両端部（３２ａ，３２ｂ）に至るほど小さく設定されるように、凹状指当面（３５）の一部又は全部が曲線状に湾曲されている。従って、指掛環（１０）内から出した指を指当部としての外側被覆部（３２）に当てがった際の感触を良くすることができる。
＊  請求項２の発明
請求項２の発明にかかる鋏及びその把持柄は下記の点で主に請求項１の発明と異なる。
前記両方の外側片外周部（３０，３１）のうち外側中間外周部（２９）と内側外周部の内側被覆部（２８）との間の外側片外周部（３１）で第一柄部（６）の指掛環（１０）には、外側中間外周部（２９）と外周支持口部（２５）との間の外側片外周部（３０）に設けた第一の外側被覆部（３２）以外に、第一刀身（１）の連結部（８）の埋設連結環（２１）を覆う第二の外側被覆部（３９）を設けている。また、第一柄部（６）の指掛環（１０）の外側外周部（２７）及び内側外周部（２６）では、前記外周支持口部（２５）と連続する第一の外側被覆部（３２）及び内側被覆部（２８）と第二の外側被覆部（３９）以外の全体で第一刀身（１）の埋設連結環（２１）が露出している。従って、請求項１の発明の効果に加えて、小指以外の三指（人差し指と中指と薬指）を指掛環（１０）に挿入し、小指を指掛環（１０）から出して第二の外側被覆部（３９）に当てがうことができ、指が刀身（１）の埋設連結環（２１）に触れにくくなるため、指掛環（１０）内から出した指の感触を良くしてより一層操作性を向上させることができる。
＊  請求項３の発明
請求項１または請求項２の発明を前提とする請求項３の発明は下記のように構成されている。
第二柄部（７）の指掛環（１１）の外周部（１５）は、第二刀身（２）の連結部（９）の支持腕部（１３）が入り込む外周支持口部（１６）と、第一刀身（１）と第二刀身（２）との閉状態で第一柄部（６）及び第二柄部（７）の指掛環（１０，１１）が互いに面する範囲でこの外周支持口部（１６）から延びる内側外周部（１７）と、この内側外周部（１７）から前記外周支持口部（１６）まで延びる外側外周部（１８）とに区分されている。さらに、前記内側外周部（１７）で第二柄部（７）の指掛環（１１）には第二刀身（２）の連結部（９）にあって第二柄部（７）の指掛環（１１）に埋設された埋設連結環（１２）を覆う内側被覆部（１９）を設けた。第二柄部（７）の指掛環（１１）の外側外周部（１８）及び内側外周部（１７）では、前記内側被覆部（１９）以外の全体で第二刀身（２）の埋設連結環（１２）が露出している。従って、第二柄部（７）の指掛環（１１）で必要な内側被覆部（１９）以外は埋設連結環（１２）が露出しているので、指掛環（１１）の外側外周部（１８）が物に接触しにくくなり、指掛環（１１）の摩耗による損傷を防止することができる。
＊  請求項４の発明
請求項３の発明を前提とする請求項４の発明は下記のように構成されている。
前記埋設連結環（１２）は前記第二柄部（７）の指掛環（１１）で外周方向に沿って延びるように設けられている。第二柄部（７）の指掛環（１１）の内周部（１４）及び外周部（１５）は、それぞれ、第一刀身（１）と第二刀身（２）との間の開閉動方向（Ｘ）を含む面に対し直交する厚み方向（Ｙ）の両側でこの埋設連結環（１２）を挟むように設けられている。従って、第二柄部（７）の指掛環（１１）を把持した際の感触を良くすることができる。
【００２０】
＊  請求項５の発明
請求項１から請求項４のうちいずれか一つの請求項の発明を前提とする請求項５の発明において、前記指当部としての外側被覆部（３２，３９）により覆われた第一刀身（１）の埋設連結環（２１）は、凹状指当面（３５）に対し距離をあけて凹状指当面（３５）に沿うように凹む凹状端縁部（３６）を有している。従って、指掛環（１０，１１）内から出した指を指当部としての外側被覆部（３２，３９）に当てがった際に外側被覆部（３２，３９）を凹状端縁部（３６）により支えて外側被覆部（３２，３９）の変形を防止するので、指の感触を良くすることができる。
【００２１】
＊  請求項６〜７の発明
請求項１から請求項５のうちいずれか一つの請求項の発明を前提とする請求項６の発明は下記のように構成されている。
【００２２】
前記第一刀身（１）と第二刀身（２）との閉状態で、第一柄部（６）の指掛環（１０）の外側外周部（２７）に設けた前記外側中間外周部（２９）と、第二柄部（７）の指掛環（１１）が連結部（９）の埋設連結環（１２）で取着された第二刀身（２）の刃部（５）の刃縁（５ａ）に対し反対側になる第二刀身（２）の刃部（５）の背縁（５ｂ）とを結ぶ第二想定平面（Ｑ）に対し凹む指掛凹部（３７）に、前記第一柄部（６）の指掛環（１０）で前記外周支持口部（２５）と連続する指当部としての外側被覆部（３２）が面している。
請求項６の発明を前提とする請求項７の発明において、前記第一柄部（６）の指掛環（１０）における指当部としての外側被覆部（３２）の両端部（３２ａ，３２ｂ）を結ぶ第一想定平面（Ｐ）に対し直交する方向で前記第二想定平面（Ｑ）に対する前記凹状指当面（３５）の深さ（Ｈ３７）は、５ｍｍ以上に設定されている。
請求項６〜７の発明では、指を指掛環（１０）内から出して指当部としての外側被覆部（３２，３９）に当てがい、指掛環（１０）の外側中間外周部（２９）で露出する刀身（１）の埋設連結環（２１）を支えとして滑らせながら両刀身（１，２）を開閉動作させる際、指が指掛凹部（３７）に収容されて物に接触しにくくなり、指の感触を良くすることができる。特に、指の腹側ばかりではなく指の背側（爪側）も指掛凹部（３７）に収容された場合には、開閉動作時の指がより一層物に接触しにくくなる。
【００２３】
＊  請求項８の発明
請求項１から請求項７のうちいずれか一つの請求項の発明を前提とする請求項８の発明において、前記第一柄部（６）の指掛環（１０）の外周支持口部（２５）と前記開閉中心部（３）との間の第一刀身（１）の連結部（８）の支持腕部（２２）にあって、前記第一柄部（６）の指掛環（１０）の内側外周部（２６）に隣接する内側端縁部（２２ａ）には、前記第一柄部（６）の指掛環（１０）の外側外周部（２７）に隣接する外側端縁部（２２ｂ）との間の幅寸法（Ｗ）を狭めるくびれ凹部（３８）を設け、このくびれ凹部（３８）に隣接する第一刀身（１）の連結部（８）の支持腕部（２２）と第二刀身（２）の連結部（９）の支持腕部（１３）との間の触点部で接触面積を小さくしている。従って、両刀身（１，２）を開閉動させる際の抵抗が小さくなって操作性を向上させることができる。
【００２４】
＊  請求項９の発明
請求項８の発明を前提とする請求項９の発明において、前記第一刀身（１）の連結部（８）の支持腕部（２２）で内側端縁部（２２ａ）の延設方向の両側に位置するくびれ凹部（３８）の両端部（３８ａ，３８ｂ）を結ぶ第三想定平面（Ｒ）に対するくびれ凹部（３８）の深さ（Ｈ３８）が、くびれ凹部（３８）の両端部（３８ａ，３８ｂ）間の中間部（３８ｃ）で最も大きく設定され、この中間部（３８ｃ）からくびれ凹部（３８）の両端部（３８ａ，３８ｂ）に至るほど小さく設定されるように、くびれ凹部（３８）の一部または全部が曲線状に湾曲されている。従って、くびれ凹部（３８）の研ぎ作業が行い易くなる。
【発明の効果】
【００２６】
本発明は、指掛環（１０）の摩耗による損傷を防止するとともに、指掛環（１０）内から出した指の感触を良くして操作性を向上させることができる。また、両刀身（１，２）を開閉動させる際の抵抗を小さくして操作性を向上させることができる。
【発明を実施するための最良の形態】
【００２７】
まず、第一実施形態にかかる鋏及びその把持柄について図１〜３を参照して説明する。
第一刀身１と第二刀身２とが開閉中心部３で回動可能に支持され、この開閉中心部３よりも先端側で第一刀身１と第二刀身２とに刃部４，５が設けられ、この開閉中心部３よりも基端側に設けられた第一柄部６及び第二柄部７で刃部４，５から延びる第一刀身１及び第二刀身２の連結部８，９に指掛環１０，１１（指掛部）が取着されている。この第一刀身１と第二刀身２とは金属からなり、この第一柄部６の指掛環１０（親指以外の指、すなわち人差し指と中指と薬指と小指、またはそれらの指の一部を挿入する四指掛環）と第二柄部７の指掛環１１（親指を挿入する親指掛環）とは合成樹脂からなる。この第一刀身１及び第二刀身２の連結部８，９が成形型（図示せず）内のキャビティにインサートされた状態で、このキャビティに合成樹脂が注入されて、連結部８，９に指掛環１０，１１が一体成形されて取着される。この場合、指掛環１０，１１を成形する合成樹脂としては、ＰＰやＡＢＳ等の硬質樹脂、または、エラストマーやシリコン等の軟質樹脂、または、この硬質樹脂と軟質樹脂との混合樹脂を利用する。
【００２８】
第二柄部７において、第二刀身２の連結部９は、指掛環１１内に埋設された埋設連結環１２（埋設連結部）と、この埋設連結環１２と開閉中心部３との間で延設された支持腕部１３とからなる。この埋設連結環１２は第二柄部７の指掛環１１で環状方向（外周方向）に沿って延びるように設けられている。第二柄部７の指掛環１１にあって環状の内周部１４及び環状の外周部１５は、それぞれ、第一刀身１と第二刀身２との間の開閉動方向Ｘを含む面に対し直交する厚み方向Ｙの両側でこの埋設連結環１２を挟むように設けられている。この環状外周部１５は、連結部９の支持腕部１３が入り込む外周支持口部１６と、第一刀身１と第二刀身２との閉状態で第一柄部６及び第二柄部７の指掛環１０，１１が互いに面する範囲でこの外周支持口部１６から延びる内側外周部１７と、この内側外周部１７から外周支持口部１６まで延びる外側外周部１８とに区分される。この内側外周部１７で第二柄部７の指掛環１１には第二刀身２の埋設連結環１２を覆う当接部１９（内側被覆部）が突設されている。第二柄部７の指掛環１１の外側外周部１８及び内側外周部１７において、第二刀身２の埋設連結環１２は、この当接部１９以外の全体で、その外側外周部１８及び内側外周部１７から突出して露出し、外側外周部１８及び内側外周部１７との間で段差部２０を形成する露出端縁部１２ａを有している。第二柄部７の指掛環１１にあって環状内周部１４の全体が第二刀身２の埋設連結環１２を覆っている。
【００２９】
第一柄部６において、第一刀身１の連結部８は、指掛環１０内に埋設された埋設連結環２１（埋設連結部）と、この埋設連結環２１と開閉中心部３との間で延設された支持腕部２２とからなる。この埋設連結環２１は第一柄部６の指掛環１０で環状方向（外周方向）に沿って延びるように設けられている。第一柄部６の指掛環１０にあって環状の内周部２３及び環状の外周部２４は、それぞれ、第一刀身１と第二刀身２との間の開閉動方向Ｘを含む面に対し直交する厚み方向Ｙの両側でこの埋設連結環２１を挟むように設けられている。この環状外周部２４は、連結部８の支持腕部２２が入り込む外周支持口部２５と、第一刀身１と第二刀身２との閉状態で第一柄部６及び第二柄部７の指掛環１０，１１が互いに面する範囲でこの外周支持口部２５から延びる内側外周部２６と、この内側外周部２６から外周支持口部２５まで延びる外側外周部２７とに区分される。
【００３０】
この内側外周部２６の全体で第一柄部６の指掛環１０には第一刀身１の埋設連結環２１を覆う内側被覆部２８が前記外周支持口部２５と連続して形成されている。この内側被覆部２８には前記第二柄部７の指掛環１１の当接部１９が第一刀身１と第二刀身２との閉状態で当接する。
【００３１】
第一柄部６の指掛環１０の外側外周部２７は、第一刀身１の埋設連結環２１が露出する外側中間外周部２９と、この外側中間外周部２９から前記外周支持口部２５及び内側外周部２６まで延びて外側中間外周部２９を挟む両方の外側片外周部３０，３１とに区分される。なお、外側中間外周部２９と、この外側中間外周部２９と前記内側外周部２６の内側被覆部２８との間の外側片外周部３１とは、任意の境界線Ｌで便宜的に区分した。両方の外側片外周部３０，３１のうち外側中間外周部２９と外周支持口部２５との間の外側片外周部３０の全体で第一柄部６の指掛環１０には第一刀身１の埋設連結環２１を覆う外側被覆部３２が指当部として前記外周支持口部２５と連続して形成されている。第一柄部６の指掛環１０において、外側中間外周部２９と前記外側片外周部３１とで、第一刀身１の埋設連結環２１は、外側被覆部３２以外の全体で、その外側外周部２７から突出して露出し、外側外周部２７との間で段差部３３を形成する露出端縁部２１ａを有している。第一柄部６の指掛環１０で環状方向（外周方向）の両側に位置する外側被覆部３２の両端部３２ａ，３２ｂのうち、この指掛環１０の外側中間外周部２９で露出する第一刀身１の埋設連結環２１の露出端縁部２１ａに対し隣接する外側被覆部３２の一端部３２ａは、露出端縁部２１ａから突出して露出端縁部２１ａとの間で段差部３４を形成している。第一柄部６の指掛環１０にあって環状内周部２３の全体が第一刀身１の埋設連結環２１を覆っている。
【００３２】
前記外側被覆部３２である指当部は、外側被覆部３２の両端部３２ａ，３２ｂを結ぶ第一想定平面Ｐに対し凹む凹状指当面３５を有している。この凹状指当面３５は、指掛環１０における厚み方向Ｙの両側へ連続し、前記第一想定平面Ｐに対する凹状指当面３５の深さＨ３５が、両端部３２ａ，３２ｂ間の中間部３２ｃで最も大きく設定され、この中間部３２ｃから両端部３２ａ，３２ｂに至るほど小さく設定されるように、両端部３２ａ，３２ｂ間で曲線状に湾曲されている。この凹状指当面３５を形取る曲線の曲率中心は、第一想定平面Ｐの外側で一または二以上設定され、その曲率半径は、指の腹側形状に合わせるために、５ｍｍ以上に設定されている。この外側被覆部３２により覆われた第一刀身１の埋設連結環２１は、前記凹状指当面３５に対し距離をあけて凹状指当面３５に沿うように凹む凹状端縁部３６を有している。
【００３３】
第一刀身１と第二刀身２との閉状態で、第一柄部６の指掛環１０の外側中間外周部２９と、第二柄部７の指掛環１１が取着された第二刀身２の刃部５の刃縁５ａに対し反対側になる第二刀身２の刃部５の背縁５ｂとを結ぶ第二想定平面Ｑに対し凹む指掛凹部３７に、前記凹状指当面３５が面している。前記外側被覆部３２の両端部３２ａ，３２ｂを結ぶ第一想定平面Ｐに対し直交する方向で前記第二想定平面Ｑに対する前記凹状指当面３５の深さＨ３７は、指のサイズに合わせて５ｍｍ以上（例えば７ｍｍ以上２５ｍｍ以下）に設定されている。
【００３４】
前記第一刀身１の連結部８の支持腕部２２にあって、前記第一柄部６の指掛環１０の内側外周部２６に隣接する内側端縁部２２ａには、第一柄部６の指掛環１０の外側外周部２７に隣接する外側端縁部２２ｂとの間の幅寸法Ｗを狭めるくびれ凹部３８が形成されている。このくびれ凹部３８は、内側端縁部２２ａの延設方向の両側に位置するくびれ凹部３８の両端部３８ａ，３８ｂを結ぶ第三想定平面Ｒに対するくびれ凹部３８の深さＨ３８が、両端部３８ａ，３８ｂ間の中間部３８ｃで最も大きく設定され、この中間部３８ｃから両端部３８ａ，３８ｂに至るほど小さく設定されるように、ほぼ曲線状に湾曲されている。このくびれ凹部３８の内側端縁部２２ａのうち中間部３８ｃ付近の曲線部分の曲率半径は、５ｍｍ以上に設定されている。このくびれ凹部３８に隣接する第一刀身１の連結部８の支持腕部２２及び第二刀身２の連結部９の支持腕部１３で互いに摺接する触点部としての裏面の接触面積は小さくなる。
【００３５】
この鋏を使用する場合には、第二柄部７において指掛環１１に親指を挿入するとともに、第一柄部６において指掛環１０に親指以外の四指を挿入するか、または、人差し指以外の三指（中指と薬指と小指）を挿入し、人差し指を指掛環１０から出して指掛凹部３７で外側被覆部３２の凹状指当面３５に当てがう。その把持状態で、第一柄部６における外側外周部２７の外側中間外周部２９を下方に向け、その外側中間外周部２９における埋設連結環２１の露出端縁部２１ａを支えとして滑らせながら両刀身１，２を開閉動作する。
【００３６】
図４に示す第二実施形態では、第一柄部６において両方の外側片外周部３０，３１のうち外側中間外周部２９と内側外周部２６の内側被覆部２８との間の外側片外周部３１で指掛環１０には、前記外側被覆部３２と同様な外側被覆部３９が指当部として形成されている。この外側被覆部３９である指当部において、両端部３９ａ，３９ｂ及び中間部３９ｃや指当面３５はそれぞれ前記外側被覆部３２の両端部３２ａ，３２ｂ及び中間部３２ｃや指当面３５に該当する。小指以外の三指（人差し指と中指と薬指）を指掛環１０に挿入し、小指を指掛環１０から出して外側被覆部３９に当てがう。
【００３７】
なお、前記第一柄部６及び第二柄部７において第一刀身１及び第二刀身２の連結部８，９の支持腕部２２，１３でそれらの表側には、指掛環１０，１１の外周支持口部２５，１６から開閉中心部３まで指掛環１０，１１から一体的に延設された合成樹脂製のカバー（図示せず）を設けてもよい。また、第二柄部７の指掛環１１については第一柄部６の指掛環１０と同様に設けてもよい。
【図面の簡単な説明】
【００３８】
【図１】第一実施形態にかかる鋏の全体を示す正面図である。
【図２】第一実施形態にかかる鋏の両柄部を示す部分平面図である。
【図３】（ａ）は図２のＡ−Ａ線拡大断面図であり、（ｂ）は図２のＢ−Ｂ線拡大断面図であり、（ｃ）は図２のＣ−Ｃ線拡大断面図であり、（ｄ）は図２のＤ−Ｄ線拡大断面図である。
【図４】第二実施形態にかかる鋏の両柄部を示す部分平面図である。
【符号の説明】
【００３９】
１…第一刀身、２…第二刀身、３…開閉中心部、４，５…刃部、５ａ…刃縁、５ｂ…背縁、６…第一柄部、７…第二柄部、８，９…連結部、１０，１１…指掛環（指掛部）、１２，２１…埋設連結環（埋設連結部）、１２ａ，２１ａ…露出端縁部、１４，２３…内周部、１５，２４…外周部、１６，２５…外周支持口部、１７，２６…内側外周部、１８，２７…外側外周部、１９…当接部（内側被覆部）、２２…支持腕部、２２ａ…内側端縁部、２２ｂ…外側端縁部、２８…内側被覆部、２９…外側中間外周部、３０，３１…外側片外周部、３２，３９…外側被覆部（指当部）、３２ａ，３２ｂ，３８ａ，３８ｂ，３９ａ，３９ｂ…端部、３２ｃ，３８ｃ，３９ｃ…中間部、３３，３４…段差部、３５…指当面、３６…端縁部、３７…指掛凹部、３８…くびれ凹部、Ｐ…第一想定平面、Ｑ…第二想定平面、Ｒ…第三想定平面、Ｈ３５，Ｈ３７，Ｈ３８…深さ、Ｗ…幅寸法、Ｘ…開閉動方向、Ｙ…厚み方向。
【図１】
0004511813.tif 000002
【図２】
0004511813.tif 000003
【図３】
0004511813.tif 000004
【図４】
0004511813.tif 000005